(57)【特許請求の範囲】
【請求項１】
横方向に向けて延びる注出筒を備えた蓋本体と、
該蓋本体に係合することにより該蓋本体を覆った閉じ状態になるキャップとを有し、
前記蓋本体及び前記キャップが平面視したときに共に円形であり且つ同心円上に位置し、
前記蓋本体の周囲壁の平面視円形の外周段部と、前記キャップの前記蓋本体の外周段部と略同じ直径を有している下端リング部の内周面とを係止することにより閉じ状態になり、
前記キャップが、その外周面が面一である周囲壁の内周面の一部を切り欠いた、前記キャップの略下端まで広がる帯状の凹所により形成された薄肉部分を有し、
該薄肉部分の一部の前記注出筒の注口に対面する部分に設けられ且つ前記注口に向けて肉厚に膨出した形状の注口栓を有し、
該注口栓は、前記キャップが閉じ状態のときに、前記注口栓の一部が前記注出筒の注口に入り込んで該注口をシールする機能を有し、
前記キャップの周囲壁において、前記薄肉部分が、該薄肉部分以外の部分よりも薄肉且つ容易に弾性変形可能であり、
前記キャップが前記閉じ状態のときに、前記薄肉部分の弾性復元力が前記注口栓に作用して該注口栓を前記注口に押し付ける方向に付勢することを特徴とする止液機能を備えた注出蓋構造。
【請求項２】
前記注口栓が、前記薄肉部分の幅方向中央に配置されている、請求項１に記載の止液機能を備えた注出蓋構造。
【請求項３】
前記注口栓が先端に向かうに従って小さくなる形状を有する、請求項１又は２に記載の止液機能を備えた注出蓋構造。
【請求項４】
前記キャップが前記蓋本体にヒンジで連結されている、請求項１〜３のいずれか一項に記載の止液機能を備えた注出蓋構造。
【請求項５】
前記注出筒が前記ヒンジの軸線と平行に延びている、請求項４に記載の止液機能を備えた注出蓋構造。
【発明の詳細な説明】
【技術分野】
【０００１】
本発明は注出筒を備えた容器の注出蓋構造に関し、より詳しくは、容器に収容した液体が注出筒から漏れ出すのを阻止することのできる止液機能を備えた注出蓋構造に関する。
【背景技術】
【０００２】
典型例としてラー油の瓶を例に説明すると、数多く出回っているラー油瓶は、合成樹脂製のポンプ機能を備えた注出蓋（特許文献１）と、この注出蓋を覆うキャップとを有している。キャップと注出蓋とは一体成形ヒンジで連結されている。
【０００３】
キャップを開放してラー油瓶を傾けながらポンプを押すことにより、注出蓋から横方向に延びる注出筒からラー油を吐出させることができる。 
【０００４】
特許文献２は止液機能付きキャップを開示している。特許文献２に書いてあるターム及び参照符号を使って特許文献２に開示のキャップを説明すると、キャップは、注口部１１を備えたキャップ本体２を包囲する蓋体４を有している。蓋体４は、その一部が内方に向けて膨んだ注口栓１８を有している。キャップを閉じたときに、注口栓１８が注口部１１の出口と嵌合することにより注口部１１をシールすることができる。
【０００５】
図８、図９は、市場に沢山出回っているラー油瓶を示す。図８は、ラー油瓶の上部の斜視図であり、キャップを開放した状態を示す。図９は、図８のＢ―Ｂ線に沿った断面図であり、キャップを閉じた状態を示す。
【０００６】
ラー油瓶１００は、その上部に、キャップ１０２付きの注出蓋１０４を有している。注出蓋１０４は樹脂成形品である。注出蓋１０４は、平面視円形の隆起部１０６を有し、更に、その中心部分に蛇腹式のポンプ１０８を有している。隆起部１０６は注出筒１１０を有している。ラー油瓶１００を傾けた状態でポンプ１０８を押し下げることによりラー油を注出筒１１０から吐出させることができる。
【０００７】
注出筒１１０はその基端１１０aから出口端つまり注口１１０bに向けて斜め上方に延びている（角度θ）。注出蓋１０４には一体成形ヒンジ１１２（図８）を介してキャップ１０２が連結されている。ヒンジ１１２の軸線をＡｘで示す。注出筒１１０は、平面視したときに、ヒンジ軸線Ａｘと平行に延びている。
【０００８】
キャップ１０２は、円筒状の下端リング部１０２aと、平らな平面視円形の頂部１０２bと、下端リング部１０２aと頂部１０２bとの間の円錐状の中間傾斜部１０２cとを有している。下端リング部１０２aの内周面は、注出蓋１０４の平面視円形の外周段部１０４aと実質的に同じ直径を有している。キャップ１０２は、その下端リング部１０２aが、注出蓋１０４の外周段部１０４aと嵌合することにより、注出蓋１０４を閉じる係止状態になる。
【０００９】
キャップ１０２の中間傾斜部１０２cは、その内周面に、球面状に膨出した注口栓１１４を有している。キャップ１０２を閉じたときに、注口栓１１４の一部が注口１１０ｂに入り込むことにより注出筒１１０をシールすることができる。
【先行技術文献】
【特許文献】
【００１０】
【特許文献１】実開平７−４４７３０号公報
【特許文献２】実開平７−８２４８号公報
【発明の概要】
【発明が解決しようとする課題】
【００１１】
図８、図９に図示のキャップ１０２では、注出筒１１０がヒンジ軸線Ａxと平行に延びており、特にこの形態の注出蓋では、持ち手の操作上、キャップ１０２を閉蓋する際に、ヒンジ１１２の正規の揺動方向から斜めにずれる方向に力が働き易い。このため、キャップ１０２の開閉を繰り返すうちに、キャップ１０２を閉じたときに注口栓１１４と注口１１０ｂとの当接が僅かにずれてしまう現象が現れ易い。このようになるとラー油瓶１００が転倒した際や繰り返し使用する際に液漏れが発生するという問題を生じていた。このことは、特許文献２に開示のキャップでも実質的に同じことが言える。 
【００１２】
本発明の目的は、上記注出筒のシール性を高めることのできる注出蓋構造を提供することにある。
【課題を解決するための手段】
【００１３】
上記の技術的課題は、本発明によれば、
横方向に向けて延びる注出筒を備えた蓋本体と、
該蓋本体に係合することにより該蓋本体を覆った閉じ状態になるキャップとを有し、
前記蓋本体及び前記キャップが平面視したときに共に円形であり且つ同心円上に位置し、
前記蓋本体の周囲壁の平面視円形の外周段部と、前記キャップの前記蓋本体の外周段部と略同じ直径を有している下端リング部の内周面とを係止することにより閉じ状態になり、
前記キャップが、その外周面が面一である周囲壁の内周面の一部を切り欠いた、前記キャップの略下端まで広がる帯状の凹所により形成された薄肉部分を有し、
該薄肉部分の一部の前記注出筒の注口に対面する部分に設けられ且つ前記注口に向けて肉厚に膨出した形状の注口栓を有し、
該注口栓は、前記キャップが閉じ状態のときに、前記注口栓の一部が前記注出筒の注口に入り込んで該注口をシールする機能を有し、
前記キャップの周囲壁において、前記薄肉部分が、該薄肉部分以外の部分よりも薄肉且つ容易に弾性変形可能であり、
前記キャップが前記閉じ状態のときに、前記薄肉部分の弾性復元力が前記注口栓に作用して該注口栓を前記注口に押し付ける方向に付勢することを特徴とする止液機能を備えた注出蓋構造を提供することにより達成される。
【００１４】
すなわち、易弾性変形可能な薄肉部分は、注口栓が注出筒の注口に圧接した際、その弾性力によって注口栓を注口に押しつける付勢力を発揮することから、これにより、開閉を繰り返すなかで、蓋本体とキャップとにズレを生じる力が働いたとしても、易弾性変形可能な薄肉部分が弾性変形することで注口栓と注口との当接が補強及び自己補正（位置補正）され、注出筒からの漏れを的確に防止することができる。
【００１５】
本発明の好ましい実施形態では、前記蓋本体及び前記キャップが平面視したときに共に円形であり且つ同心円上に位置している。これにより、円周方向において、上記付勢力を注口栓に対して、その中心に向けて均等に作用させることができる。前記注口栓は先端に向かうに従って小さくなる形状を有するのがシール性の確実性を高める上で好ましい。
【００１６】
本発明の他の目的及び作用効果は、以下の本発明の好ましい実施例の説明から明らかになろう。
【図面の簡単な説明】
【００１７】
【図１】実施例のキャップ付き注出蓋を備えたラー油瓶の斜視図であり、キャップを閉じた状態を図示してある。
【図２】実施例のキャップ付き注出蓋を備えたラー油瓶の斜視図であり、キャップを開いた状態を図示してある。
【図３】図２に図示のキャップ付き注出蓋の拡大図である。
【図４】図３のＡ―Ａ線に沿った断面図であり、キャップを閉じた状態を図示してある。
【図５】実施例のキャップの内部構造を説明するための図である。
【図６】実施例のキャップの内部構造の変形例を説明するための図であり、図５に対応する図である。
【図７】実施例のキャップの内部構造の別の変形例を説明するための図であり、図５に対応する図である。
【図８】従来のキャップ付き注出蓋を備えたラー油瓶の上部の斜視図であり、キャップを開いた状態を図示してある。
【図９】図８のＢ−Ｂ線に沿った断面図である。
【発明を実施するための形態】
【実施例】
【００１８】
以下に、添付の図面に基づいて本発明の好ましい実施例を説明する。 
【００１９】
図１〜図７は、本発明の注出蓋構造に適用したラー油瓶を示す。実施例の注出蓋構造はキャップ２と、ラー油瓶１４に直接的に装着される蓋本体４とを有し、このキャップ２は蓋本体４を覆うのに用いられる。キャップ２と蓋本体４は、平面視したときに共に円形であり且つ同心円上に位置しており、キャップ２は蓋本体４と一体構造を有する。キャップ２は蓋本体４に対してヒンジ６で連結され、ヒンジ６の軸線Ａｘ（図３）を中心に揺動して、蓋本体４を覆う閉じ状態（図１）と、蓋本体４を開放した開き状態（図２）とを取ることができる。キャップ２は蓋本体４と一体成形の樹脂成形品であるのがよく、ヒンジ６は一体成形ヒンジであるのがよい。
【００２０】
蓋本体４は、その頂板部に平面視円形の隆起部８を有し、更に、その中心部分に蛇腹式のポンプ１０を有している。隆起部８は注出筒１２を有している。従来と同様に、ラー油瓶１４を傾けた状態でポンプ１０を押し下げることによりラー油を注出筒１２から吐出させることができる。また、頂板部の外周縁には、後述するキャップ２が嵌合する環状の外周段部４ａが形成されている。
【００２１】
図４を参照して、注出筒１２はその基端１２aから注口１２bに向けて斜め上方に延びている（角度θ）。注出筒１２は、平面視したときに、ヒンジ軸線Ａｘと平行に延びている（図３）。
【００２２】
キャップ２は、平らな平面視円形の頂部２bと、周囲壁とを有しており、周囲壁は、円筒状の下端リング部２aと、下端リング部２aと頂部２bとの間の円錐状の中間傾斜部２cとから形成されている（図４）。下端リング部２aの内周面は、蓋本体４の平面視円形の外周段部４aと実質的に同じ直径を有している。キャップ２は、その下端リング部２aが、蓋本体４の外周段部４aと嵌合することにより蓋本体４を閉じる係止状態になる。勿論、キャップ２を閉じ状態に保持する手法として、外周段部４aと下端リング部２aとの嵌合に限定されず、キャップ２を閉じ状態に止めることができるのであれば任意の係止手段を採用してもよい。
【００２３】
注出筒１２は、図８、図９を参照して前述した注出筒１１０よりも硬質であるのが好ましく、また、従来の注出筒１１０より長くするのが好ましい。つまり、本発明の注出蓋構造によれば、注口栓２０を囲む特定形状の弾性変形可能な易弾性部分２２を備えることにより、硬質あるいは長さを有する注出筒１２に、後に説明する注口栓２０を圧接して、易弾性部分２２の弾性力によって、上記圧接を補助する付勢力を発揮させることができる。
【００２４】
図５を参照して、キャップ２は、周囲壁の中間傾斜部２cの内周面に、球面状に膨出した注口栓２０を有している。注口栓２０は、注出筒１２の注口１２bに圧接して注出筒１２をシールすることができれば任意に形状を採用することができる。例えば、注口栓２０は、先端に向かうに従って徐々に小さくなる形状であれば任意の三次元形状を採用することができる。したがって、実施例の球面状に膨出した形状は注口栓２０の典型例に過ぎない。注口栓２０は、キャップ２が閉じ状態のときに、注出筒１２の注口１２bと対面する位置に配置されており、キャップ２を閉じることにより、注口栓２０の一部が従来と同様に注出筒１２の注口１２bに入り込むことにより注出筒１２をシールすることができる。
【００２５】
キャップ２は、周囲壁の内周面において注口栓２０が形成されている部分及びその周囲の部分を切り欠いた形状の凹所が、それ以外の、キャップ２の比較的堅固に形成された周囲壁に比べて薄肉であり、これにより容易に弾性変形可能な易弾性部分つまり薄肉部２２が構成されている。易弾性部分である薄肉部２２は、注口栓２０を囲み且つキャップ２の周囲壁の略下端まで広がる帯状に設けられている。具体的には、この実施例では、キャップ２は、下端リング部２a及び中間傾斜部２cにおいて、注口栓２０の周辺に位置する部分に帯状に、比較的薄肉の薄肉部２２が形成され、この薄肉部２２によって易弾性部分が構成されている（図５）。すなわち、この易弾性部分である薄肉部２２は、中間傾斜部２cの上端から下端リング部２aの下端に達する正面視矩形の領域に形成されている。注口栓２０は、易弾性部分つまり薄肉部２２の幅方向つまり中間傾斜部２cの周方向の中央に位置するのが好ましい。
【００２６】
更に詳しくは、薄肉部２２は、キャップ２の内面に凹所を形成することにより作られており、キャップ２の外周面は面一であり、見栄えが良い。
【００２７】
易弾性部分つまり薄肉部２２の形状に関する変形例として、図６に示すように、薄肉部２２は、下端リング部２aから上方つまり頂部２bに向かうに従って幅狭の正面視台形の形状であってもよい。また、薄肉部２２は、密封性、成形性を考慮した場合、周囲壁の下端リング部２ａの下端側から上方に向かって薄肉領域となっているのが好適であり、図７に示すように、下端リング部２ａの下端から中間傾斜部２ｃの上下方向中間まで延びる形状を有していてもよい。
【００２８】
当業者であれば容易に理解できるように、注口栓２０の周囲に形成した易弾性部分つまり薄肉部２２の弾性変形によって注口栓２０のシール力を高めることができる。すなわち、キャップ２を閉じるときに薄肉部２２が弾性変形して注口栓２０の一部が比較的硬質の注出筒１２の注口１２bに入り込むが、注口栓２０には薄肉部２２の弾性復元力が作用し続けることになる。すなわち、この復元力は注口栓２０を注出筒１２の注口１２bに押し付ける付勢力及び自己位置補正力として作用し続けることになる。
【００２９】
したがって、注口栓２０を注出筒１２の注口１２bに押し付ける弾性復元力を発揮するのであれば、注口栓２０の正面視の形状は任意であり、その大きさも任意である。最も好ましくは、注口栓２０を正面視したときに、薄肉部２２の幅方向中央に注口栓２０が位置しているのがよい。これにより、注口栓２０に作用する弾性復元力を左右均等、つまり注口栓２０の中心に向けて付勢力が作用するようにすることができる。
【００３０】
実施例では、キャップ２の易弾性部分つまり薄肉部２２を除く部分の周囲壁の肉厚が約１．４mmであるのに対して、薄肉部２２の肉厚は約０．４５mmである。なお、キャップ２を備えた蓋本体４の材料はポリプロピレンである。この合成樹脂材料は、ポリエチレン、エラストマー等であってもよい。上記の付勢力を発揮させるのに、中間傾斜部２cの薄肉部２２は、それ以外の周囲壁の部分の約２０％ないし約５０％の肉厚、好ましくは約３０％ないし約４０％の肉厚に設定するのが好ましい。
【００３１】
キャップ２の下端リング部２aまで薄肉部２２が形成されている場合（図５、図６）、この下端リング部２aが蓋本体４と係合して閉じ状態になると、下端リング部２aは蓋本体４に沿った形状になる。この場合に、薄肉部２２は注出筒１２に接近する方向に変位する。これにより、注口栓２０は注出筒１２の注口１２bに圧接して注口１２bをシールするそのシール力と自己位置補正力が増強されることになる。
【００３２】
そして、下端リング部２aが平面視円形の形状を有していることから、上記のシール力は注口栓２０の全体に均一に作用することになる。
【００３３】
易弾性部分である薄肉部２２の上下方向の寸法は、キャップ２の周囲壁の高さ寸法の約７０％ ないし約１００％に設定するのが好ましい。また、薄肉部２２の周方向の幅は、キャップ２の周囲壁の全周に対して約１０％ないし約２０％に設定するのが好ましい。また、注口栓２０の正面視したときの寸法は、注出筒１２の注口１２bの開口の約２５０％以上５００％以下に設定するのが好ましい。
【００３４】
上述の説明から、実施例の注出蓋構造によれば、キャップ２を開閉する際に、蓋本体４との間でずれが生じる力が働いた場合であっても、上述した構成によって、このずれを生じる力を吸収し且つ補正することができ、所望のシール性を維持することができる。
【００３５】
以上、本発明の好ましい実施例を説明したが、本発明は、上記の実施例に限定されず、次の変形例を包含する。
（１）実施例では、薄肉部２２をキャップ２の内周面に凹所を形成することにより作られているが、変形例として、キャップ２の外周面に凹所を形成することにより薄肉部２２を形成するようにしてもよい。勿論、キャップ２の内周面及び外周面の両者に凹所を形成することにより薄肉部２２を形成するようにしてもよい。
【００３６】
（２）実施例では、キャップ２と蓋本体４との一体成形品を例示したが、キャップ２と蓋本体４とが別体であってもよい。
【００３７】
（３）実施例では、注出筒１２はヒンジ軸線Ａｘと平行に延びているが、注出筒１２の延びる方向は任意であり、例えばヒンジ軸線Ａｘと直交する方向に延びていてもよい。
【産業上の利用可能性】
【００３８】
本発明は、典型的にはラー油瓶に適用されるが、これに限定されず液体を収容した容器に広く適用することができる。
【符号の説明】
【００３９】
２  キャップ
２a  下端リング部
２b  キャップの平らな平面視円形の頂部
２c  キャップの中間傾斜部
４  蓋本体 
６  ヒンジ（注出蓋とキャップとを連結） 
１２  注出筒 
１２a  注出筒の基端 
１２b  注出筒の注口 
１４  ラー油瓶 
２０  注口栓 
２２  薄肉部（易弾性部分）
【図１】
0006514484.tif 000002
【図２】
0006514484.tif 000003
【図３】
0006514484.tif 000004
【図４】
0006514484.tif 000005
【図５】
0006514484.tif 000006
【図６】
0006514484.tif 000007
【図７】
0006514484.tif 000008
【図８】
0006514484.tif 000009
【図９】
0006514484.tif 000010